(57)【要約】【課題】  無線通信システムにおいて、電波環境によって受信特性に影響を受けることなく、好適な状態を維持しつつ無線通信装置の消費電力を低減する。【解決手段】  第１の無線通信装置と第２の無線通信装置との間で無線通信を行なう無線通信システムにおいて、第１の無線通椎装置１０における受信回路１２で受信した受信電力を判定する第１の判定回路１５と、第１の無線通信装置１０における信号処理部１４に設けた第２の判定回路１４１で受信信号品質を判定し、送信電力制御要求精製回路１４３でこれらの判定結果を元に第２の無線通信装置の送信電力を制御する送信電力制御要求を作成し、第１の無線通信装置１０が第２の無線通信装置に送信する信号に送信電力制御要求を重畳して第２の無線通信装置に送信する。【選択図】        図２
2005191762.tif 000002
【特許請求の範囲】
【請求項１】
データ入出力端子と、信号処理回路と、受信回路と、送信回路と、少なくとも一つ以上のアンテナと、アンテナ切替回路とを備え、
信号送信時には、前記信号処理回路が前記データ入出力端子を介して入力されたデータを無線通信に適した形態に信号処理して前記送信回路に供給し、該送信回路が前記信号処理回路から供給される信号を無線通信に適した無線信号に変換して前記アンテナから空中に送出し、
信号受信時には、前記受信回路が前記アンテナが受信した無線信号を変換して前記信号処理回路に出力し、該信号処理回路が前記受信回路が出力した信号を処理して前記データ入出力端子からデータを送出し、
前記アンテナ切替回路が、送信時には前記送信回路と前記アンテナとを接続し、受信時には前記アンテナと前記受信回路とを接続するように回路の切替え動作を行なう無線通信装置において、
前記受信回路における受信信号電力を判定する第一の判定回路を備え、受信信号の品質を判定する第二の判定回路を備え、
前記第一の判定回路と前記第二の判定回路の判定結果を元に送信電力制御要求を作成し、
前記信号処理回路が前記送信回路に供給する信号に、前記送信電力制御要求を信号処理回路において重畳し、
該送信電力制御要求によって前記無線通信装置が通信を行なう相手側の無線通信装置における送信信号電力を制御することを特徴とした無線通信装置。
【請求項２】
請求項１に記載の無線通信装置において、
前記第一の判定回路は、あらかじめ定められた基準値と受信信号電力とを比較して大小判定することを特徴とする無線通信装置。
【請求項３】
請求項１に記載の無線通信装置において、
前記第一の判定回路は、あらかじめ定められた２段階の基準値と受信信号とを比較して、３値判定することを特徴とする無線通信装置。
【請求項４】
データ入出力端子と、信号処理回路と、受信回路と、送信回路と、少なくとも一つ以上のアンテナと、アンテナ切替回路とを備え、
特に、信号送信時には前記信号処理回路が、前記データ入出力端子を介して入力されたデータを無線通信に適した形態に信号処理して前記送信回路に供給し、該送信回路が、前記信号処理回路から供給される信号を無線通信に適した無線信号に変換して前記アンテナから空中に送出し、
信号受信時には、前記該受信回路が、前記アンテナが受信した無線信号を変換して前記信号処理回路に出力し、該信号処理回路が、前記受信回路が出力した信号を処理して前記データ入出力端子からデータを送出し、
前記ンテナ切替回路は、送信時には前記送信回路と前記アンテナとを接続し、受信時には前記アンテナと前記受信回路とを接続するように回路の切替え動作を行なう無線通信装置において、
前記受信回路における受信信号電力を判定する第一の判定回路と、受信信号の信号品質を信号処理回路において判定する第二の判定回路と、受信信号の信号品質を信号処理回路において前記第二の判定回路とは別の判定基準で判定する第三の判定回路を備え、
前記第一の判定回路と前記第二の判定回路と前記第三の判定回路の判定結果を元に送信信号電力制御要求を作成し、
前記信号処理回路が前記送信回路に供給する信号に、前記送信信号電力制御要求を信号処理回路において重畳し、
前記送信信号電力制御要求が、前記無線通信装置が通信を行なう相手側の無線通信装置における送信信号電力を制御することを特徴とした無線通信装置。
【請求項５】
請求項４に記載の無線通信装置において、
前記第一の判定回路は、あらかじめ定められた基準値と受信信号電力とを比較して大小判定することを特徴とする無線通信装置。
【請求項６】
請求項４に記載の無線通信装置において、
前記第一の判定回路は、あらかじめ定められた２段階の基準値と受信信号とを比較して、３値判定することを特徴とする無線通信装置。
【請求項７】
請求項１から６に記載の無線通信装置を少なくとも２台用い、互いの装置間で無線通信を行なう無線通信システム。
【発明の詳細な説明】
【技術分野】
【０００１】
本発明は無線通信システムを構成する無線通信装置に関し、特に送信電力の最適化に関する。
【背景技術】
【０００２】
近年のデジタル信号処理技術の進展に伴い、アナログデータに比較してデジタルデータを用いることで大容量のデータ通信が可能になり、さらにデジタル変復調技術の進展により、一定の時間内で伝送可能なデータ量もまた大容量化が進んでいる。
【０００３】
無線通信技術の発展に伴って携帯電話でも静止画あるいは動画の送受信が実現されつつあり、さらに高い伝送速度を有する無線ＬＡＮに関しても多くの無線通信システムが稼動しつつある。無線ＬＡＮの規格として２．４ＧＨｚ帯の電波を用いるＩＥＥＥ８０２．１１ｂあるいは５ＧＨｚ帯の電波を用いるＩＥＥＥ８０２．１１ａがあり、２．４ＧＨｚの電波に関しては伝送速度の更なる高速化を目指したＩＥＥＥ８０２，１１ｇの規格化が進められている。これらの無線ＬＡＮ規格では映像を十分に扱えるだけの伝送速度を備えており、ＰＣで用いるファイル等のデータ転送以外に、映像を扱う民生機器などに組み込んで、有線ケーブルの配線を不要として映像信号を無線伝送する用途に使用することが考えられる。
【０００４】
無線通信機器の大きな特長として信号伝送用のケーブル配線が不要となることから、バッテリーを搭載することによって自由に移動できること、あるいは設置する場所に電源がなくとも使用可能であることが挙げられる。この場合、バッテリーの寿命を延ばすために無線通信機器の消費電力の低減が求められる。また、バッテリーを持たずに家庭の電力線に接続して使用する用途においても、環境問題対策の一環として消費電力の低減が求められる。
【０００５】
また、無線通信では環境の変化によって受信機側の受信電力が一定せず、例えば、無線通信を行なっている無線通信装置間に電波を遮蔽する妨害物があった場合、受信機側の受信電力は減衰し、信号を受信する側の受信回路における受信電力が小さくなり、受信品質が劣化することになる。受信品質の劣化した信号から必要なデジタルデータを再生する場合には誤りが多く含まれる確率が高くなり、この結果、受信特性が劣化する、あるいは同等の受信特性を得るためには通信距離を短くする必要が生じるなどの問題が生じる。
【０００６】
受信回路ではこの問題を防ぐために受信回路の初段に増幅器が設けられ、受信信号を増幅する手段がとられる。増幅器は雑音を発生するため、増幅器を通過した信号は、信号電力と雑音電力の比で表されるＳ／Ｎが劣化する。このため、受信回路の初段の増幅器としては発生雑音の少ない低雑音増幅器を用いることでＳ／Ｎの劣化を抑えつつ受信電力を増幅する手段がとられる。しかし、逆に受信電力が過剰に大きい場合に、受信側の無線通信装置の受信回路において受信信号が必要以上に増幅され歪みが発生することが考えられる。歪みを含む信号から必要なデジタルデータを再生する場合にも誤りが多く含まれる確率が高くなり、この結果、受信特性が劣化する、あるいは同等の受信特性を得るためには通信距離を短くする必要が生じるなどの問題が生じる。
【０００７】
上述のＩＥＥＥ８０２．１１ａあるいはＩＥＥＥ８０２．１１ｇなどの規格ではデジタル変調方式にＯＦＤＭ技術が使用されており、ＯＦＤＭ信号ではその方式上から信号電力が一定せず、受信信号電力が過剰に大きくなることが起きやすいため、受信回路における歪みが発生しやすく、送信側の送信電力の管理、あるいは、受信側の受信電力の管理が重要になる。また、上述の規格ではデジタル変調方式としてＱＡＭ変調方式が使用されることがあり、受信信号の振幅値が重要となるため、歪みによる影響が大きい。
【０００８】
このような問題を回避するためには、受信信号を適正な値に保つことが重要であり、受信側の回路において受信した電力の変動によらずに受信特性を維持するために、受信信号電力を判定して、この判定結果を元に受信回路内部で受信電力を補正するように機能する高周波受信装置が提案されている（例えば、特許文献１参照）。
【特許文献１】特開２００２−２９０１７８号公報
【発明の開示】
【発明が解決しようとする課題】
【０００９】
無線通信機器に消費電力に低減が求められる理由はすでに記述したとおりである。無線通信機器には無線信号を送受信するための高周波回路が備えられるが、この高周波回路部において最も電力消費が大きい回路部分は送信回路の送信電力を作り出すパワーアンプ回路であり、無線通信機器全体の消費電力の管理において、このパワーアンプ部分の電力制御を適切に行なうことによって、機器の消費電力の削減への効果が期待される。
【００１０】
また、受信特性を好適に維持するために、受信回路において受信電力を調整する手段でも調整可能な受信電力の範囲には限界があり、限界を超えて受信電力が弱い場合にも、強い場合にも受信特性の劣化が生じ、受信側にて再生されたデジタルデータに誤りが含まれる確率が高くなる。さらに、受信電力が弱すぎる場合または強すぎる場合は、受信信号を再生することも出来なくなる。この結果、映像信号を無線伝送するシステムにおいては、映像にブロックノイズが発生するなどの問題が生じる。
【００１１】
本発明は、上記問題を解決し、無線通信機器において、受信機の電力制御を適切に行い、機器の消費電力を削減することを目的とする。さらに、本発明は、受信機に入力される信号を適正な値に保って、送信電力が必要以上に大きくなることも小さくなることもなく、適正な電力に保つことを目的とする。
【課題を解決するための手段】
【００１２】
このような問題を回避するためには、受信機に入力される信号を適正な値に保つことが重要であり、受信側では受信信号から受信電力を判定し、この結果を送信側に返して送信電力を適切な値に保つためのフィードバックループを形成する。すなわち、受信回路における受信信号の受信電力が必要以上に大きい場合、送信側に対して送信電力を下げるように指示をする制御信号を信号処理回路において送信信号に重畳して送信回路から送出し、逆に、受信回路における受信電力が必要以上に小さい場合は送信側に対して送信電力を大きくするように指示を出す。この指示をする為の制御信号を受け取った側では、この制御信号によって送信電力を制御して、送信電力をが適切な値に保つ。この結果として、送信電力が必要以上に大きくなることも小さくなることもなく、適切な電力に保たれる。
【発明の効果】
【００１３】
送信機の送信電力を制御することによって、無線環境によらず受信機側における受信特性を好適に維持でき、送信機側の消費電力を抑制することも可能である。
【発明を実施するための最良の形態】
【００１４】
本発明にかかる無線通信装置を用いた無線通信システムの構成を、図１に示す。この無線通信システムは、受信側無線通信装置１０と送信側無線通信装置２０との間で無線通信により映像データ，音声データ，その他のデータ等のデータ伝送を行うシステムである。受信側無線通信装置１０が送信側無線通信装置の機能を備えることができ、送信側無線通信装置２０が受信側無線通信装置の機能を備えることができる。
【００１５】
本発明にかかる無線通信装置の構成を、図２および図３を用いて説明する。図２は、本発明にかかる無線通信装置の受信側として働く機器（以下、受信側無線通信装置という）の構成を示す図である。図３は、本発明にかかる無線通信装置の送信側として働く機器（以下、送信側無線通信機器という）の構成を示す図である。
【００１６】
図１において、本発明にかかる受信側無線通信装置１０は、アンテナ切替回路１１と、受信回路１２と、送信回路１３と、信号処理回路１４と、第１の判定回路１５と、第１のアンテナ１８と、第２のアンテナ１９と、データ信号入出力端子Ｔ１を有して構成される。信号処理回路１４は、第２の判定回路１４１と、受信品質評価回路１４２と、送信電力制御要求生成回路１４３を有して構成される。
【００１７】
図３において、本発明にかかる送信側無線通信装置２０は、アンテナ切替回路２１と、受信回路２２と、送信回路２３と、信号処理回路２４と、第１のアンテナ２８と、第２のアンテナ２９と、データ信号入出力端子Ｔ１を有して構成される。信号処理回路２４は、送信回路制御信号生成回路２４１を有して構成される。
【００１８】
以下、本発明による受信側無線通信装置１０と送信側無線通信装置２０の動作を詳細に説明する。本動作では、受信側無線通信装置１０は、送信側無線通信装置２０から無線通信により映像データなどの各種データを受信しており、受信側無線通信装置１０から送信側無線通信装置２９へ制御データなどを送信する場合を説明する。
【００１９】
送信側無線通信装置２０における送信動作では、映像データ等の送信データはデータ入出力端子Ｔ１から信号処理回路２４に入力される。映像の伝送を実現するために必要な高速な伝送速度を実現可能な無線ＬＡＮ規格として、背景技術などに説明したようにＩＥＥＥ８０２．１１ａがすでに規格化され、あるいはＩＥＥＥ８０２．１１ｇが規格化されつつある。信号処理回路２４ではデータ入出力端子Ｔ１を介して供給された送信データに対して各規格に基づいてパケット処理、ヘッダ情報の負荷などの信号処理を施すＭＡＣ（メディアアクセスコントロール）処理を行なう。さらにデータ信号に基づいてデジタル変調処理が施された後、ＩＥＥＥ８０２．１１ａあるいはＩＥＥＥ８０２．１１ｇ規格であればＯＦＤＭ処理が施される。こうして無線ＬＡＮ規格に基づいた信号として作成された信号は、まだ周波数が低く、無線通信に適した高周波信号に周波数変換を行う必要があり、送信回路２３に供給される。
【００２０】
ＩＥＥＥ８０２．１１ａ規格であれば、５ＧＨｚ帯に、ＩＥＥＥ８０２．１１ｇ規格であれば、２．４ＧＨｚ帯に周波数変換され、図示していないが送信回路２３に含まれるパワーアンプによって、必要な送信電力に増幅され、アンテナ切替回路２１を介して第２のアンテナ２９から空中に送出される。送信回路２３の送信電力は送信回路制御信号生成回路２４１から供給される送信回路制御信号によって送信電力が制御される構成を有する。
【００２１】
一方、受信側無線通信装置１０における受信動作では、第１のアンテナ１８あるいは第２のアンテナ１９によって受信され受信側無線通信装置１０に入力された受信信号は、アンテナ切替回路１１を介して受信回路１２に供給される。受信回路１２内の詳細な構成の説明は省略するが、受信信号の電力を調整する為の増幅回路、減衰回路が含まれ、さらに５ＧＨｚあるいは２．４ＧＨｚなどの無線周波数で入力された信号を信号処理回路１４に適する周波数に周波数変換する為の回路などが含まれる。受信回路１２において受信電力を適正値に調整され周波数を変換された受信信号は、信号処理回路１４に入力される。
【００２２】
信号処理回路１４において受信信号はＩＥＥＥ８０２．１１ａなどの通信規格に基づいた信号からデータ信号として再生され、データ信号入出力端子Ｔ１から出力される。
【００２３】
受信動作において、受信信号は第１のアンテナ１８あるいは第２のアンテナ１９によって受信されるが、この２つのアンテナはダイバーシティ動作をしており、第１の判定回路１５、第２の判定回路１４１の何れかあるいは両方の判定回路によって何れのアンテナで受信したら受信特性が良いかを判定される。判定方法として、受信回路１２における受信電力、信号処理回路１４の受信品質評価回路１４２における受信Ｓ／ＮまたはＢＥＲ（ビットエラーレート）の評価結果などが使用される。この判定の結果、受信特性が好適なアンテナが選定され、アンテナ切替信号によりアンテナ切替回路１１の動作が制御されて好適な受信特性を実現するアンテナと受信回路１２とが接続される。
【００２４】
なお、アンテナ切替回路１１は、送信時におけるアンテナ１８、１９との接続状態も制御する。すなわち、送信時は送信回路１３が第２のアンテナ１９に接続され、受信時には上述のように受信特性が好適となる一方のアンテナが受信回路１２に接続される。この結果、例えば送信時に送信回路１３から出力される大電力の送信信号が受信回路１２に誤って入力されてしまい、受信回路１２内の素子が大電力信号によって破壊されてしまうことを防ぐ作用がある。
【００２５】
本発明の特徴である、受信側無線通信装置２０の第１の判定回路１５および信号処理回路１４の第２の判定回路１４１ならびに受信品質評価回路１４２の判定結果による制御の流れを、図４を用いて説明する。図４は、本実施例にかかる受信側無線通信装置１０における処理例を示すフローチャート図である。
【００２６】
受信側無線通信装置１０が受信状態にあるとき、第１の判定回路１５は、常に受信回路１２における受信信号の電力（受信信号レベル）を評価し続けており、その判定結果を信号処理回路１４に出力している。これは、無線通信環境は一定しておらず常に変動する可能性があり、この環境の変動に無線通信装置として追従するためである。例えば、通信状態にある２台の無線通信装置の間を例えば人体などの電波遮蔽物がさえぎった場合、受信側無線通信装置１０の受信電力は低下し、逆に電波遮蔽物がなくなった場合は受信電力が上昇するため、このような受信電力の変動を検知する必要がある。
【００２７】
第１の判定回路１５にはあらかじめ基準値が設定されており、受信信号レベル（受信電力）がこの基準値と比較して大きいか小さいかの２値判定を行ない、結果を信号処理回路１４に出力する（Ｓ１：受信電力判定）。判定した結果、受信信号の電力が基準値より小さかった場合はステップＳ２に処理が進み、受信信号電力が基準値より大きかった場合はステップＳ５に処理が進む。
【００２８】
ステップＳ１において、受信信号の電力が基準値より小さかった場合は、信号処理回路１４の受信品質評価回路１４２において受信回路１２が出力した受信信号のＳＮ比やＢＥＲなどによって受信信号の品質を評価して数値化した品質評価信号を出力し、第２の判定回路１４１においてこの品質評価信号をあらかじめ設定されている基準値と比較し、品質評価の値が基準値より大きいか小さいかの２値判定を行なう（Ｓ２：品質判定）。このステップＳ２において信号品質が良好（品質評価値＞基準値）と判定された場合、受信信号電力は基準信号電力を下回るが、信号品質は良好であり、受信特性に問題はないことが総合的に判断され、処理を終了する（Ｓ３）。ステップＳ２において信号品質が劣悪（品質評価値＜基準値）と判定された場合、受信信号電力が基準値を下回り、なおかつ信号品質も劣悪となる。信号品質が劣悪となる原因として、自然界に存在する背景雑音や熱雑音などの雑音電力に比較して信号電力が小さすぎることが考えられる。たとえば、通信相手との距離が離れ、空中における信号電力の減衰が大きい場合が考えられる。これを回避するには信号電力を大きく取ればよいが、受信回路において信号電力を増幅すると受信側無線通信装置１０に入力された雑音電力までもが増幅されてしまうため、ＳＮ比の改善にはならない。したがって送信側無線通信装置２０の送信電力を増加させる必要がある。
【００２９】
すなわち、ステップＳ２において信号品質が劣悪と判定された場合、送信電力制御要求生成回路１７は、送信側無線通信装置２０の送信電力を増加させるための送信電力制御要求（送信レベル増加）を生成し、受信側無線通信装置１０が送信する信号にこの送信電力制御要求を重畳して送信する（Ｓ４）。この送信電力制御要求（送信レベル増加）を受信した送信側無線通信装置２０では、信号処理回路２４においてこの送信電力制御要求（送信レベル増加）を分離し、送信回路制御信号生成回路２４１で送信回路制御信号を生成し、送信電力を増加させるように送信回路２３を制御する（Ｓ２１）。
【００３０】
受信側無線通信装置１０において、ステップＳ１のレベル判定の結果、受信レベルが所定の値より大きいときには、ステップＳ２と同様に、信号処理回路１４における受信品質評価回路１４２において、受信回路１２が出力した受信信号の信号品質を判定する。例えば、受信信号のＳＮ比を判定することにより受信信号の品質を数値化した品質評価信号を生成し、第２の判定回路１４１でこの品質評価信号とあらかじめ設定されている基準値と比較し、大きいか小さいかの２値判定を行なう（Ｓ５）。ステップＳ５において信号品質が良好と判定された場合、受信信号電力は基準信号電力を上回るが、信号品質は良好であり、受信特性に問題はないことが総合的に判断される。
【００３１】
この場合、受信電力が若干下がっても受信特性に問題が無ければ、送信側無線通信装置２０の消費電力を低減するために、送信電力を下げたほうが好ましい。したがって、ステップ５において信号品質が良好と判定された場合、送信電力制御要求生成回路１４３は、送信側無線通信装置２０の送信電力を低減させるための送信電力制御要求（送信レベル減少）を生成し、受信側無線通信装置１０が送信する信号にこの送信電力制御要求（送信レベル減少）を重畳して送信する（Ｓ６）。この送信電力制御要求（送信レベル減少）を受信した送信側無線通信装置２０では、送信回路制御信号生成回路２４１においてこの送信電力制御要求（送信レベル減少）を分離し、送信回路制御信号を生成し、送信電力を減少させるように送信回路を制御する（Ｓ２２）。
【００３２】
また、ステップ５において信号品質が劣悪と判定された場合、受信信号は基準信号電力を上回るにもかかわらず、信号品質が劣悪と言うことになる。信号電力が小さい場合はＳＮ比の劣化原因として受信電力の大きさに比較して熱雑音などの雑音電力が大きすぎることが考えられたが、一般にこのような雑音電力は低く、受信電力が基準値以上の電力で受信できている場合はＳＮ劣化の原因とは考えられない。この場合、ＳＮ劣化の原因として、希望する受信信号以外の妨害信号が強い電力で受信されている場合などが考えられる。この場合、受信電力は基準値を上回っているため、送信側無線通信装置２０の送信電力をさらに増加させることは、送信側無線通信装置２０の消費電力の観点から適当ではなく、また、受信側無線通信装置１０の受信回路１２における信号電力の増幅によってもＳＮ比改善の効果を得ることは難しい。したがって、受信側無線通信装置１０の動作として、妨害波を検知したことを知らせる妨害波検知信号を生成し、データ信号入出力端子Ｔ１から出力するデータ信号にこの妨害波検知信号を重畳して出力する（Ｓ７）。
【００３３】
この妨害波検知信号の活用事例として、受信側無線通信装置１０を搭載している民生品等の製品は、この妨害波検知信号を受けた場合、映像表示時に注意喚起画面などを表示する、使用する周波数チャネルを変更する、アンテナ設置位置や使用場所を変える、妨害波を探り低減検討を図るなどの対応をとることが考えられる。
【００３４】
受信側無線通信装置１０が送信状態にある場合については、特にフローチャートには示さないが、前述と同様に、送信側無線通信装置２０に対して送信した信号に基づいて、送信側無線通信装置２０から送信電力制御要求が送信されてくる。信号処理回路１４は受信信号に含まれるこの送信電力制御要求から送信回路制御信号を生成し、内容に従って送信回路１３の送信電力を制御する。
【００３５】
以上説明したように、受信した信号の受信レベル（信号電力）を判定し、さらに信号品質を判定することによって、送信側無線通信装置の送信電力を制御する送信電力制御要求を生成し、この送信電力制御要求に基づいて送信側無線通信装置２０の送信電力を制御することによって、受信電力の大きさによる影響を受けることなく、また距離の遠近などに伴う送信電力の大きさによる影響を受けることなく、送信側無線通信装置の消費電力を適正に保ちつつ好適な受信特性を保つことが可能となる。
【００３６】
また妨害波が大きく、上述の制御によって改善が見られない場合には、妨害波検知信号を生成して制御部などへ出力することによって、別の対応を図るための仕組みを構築することが可能である。
【００３７】
本発明の第２の実施例による制御の流れを、図３を用いて説明する。図３は本実施例における処理例を示すフローチャート図である。図４と同一の機能を有する状態については同一の参照符号として説明を省略する。
【００３８】
本実施例においては、第１の判定回路１５が受信電力を判定する際に規準とする値として第１の基準値と第２の基準値の２値を保有している。ここで第１の基準値が第２の基準値より大きい値とする。すなわち、受信信号の受信レベルが、第１の基準値と第２の基準値の間に入っているか、この範囲外であるかを判定する（Ｓ８）。この結果、受信信号の受信レベルが、第１の基準値と第２の基準値の間に入っていた場合、信号品質を判定せずに良好な信号を受信しているものとみなすとともに、送信側無線通信装置２０の送信電力も消費電力に適した値となっているとみなして、処理を終了する（Ｓ９）。
【００３９】
ステップＳ８の判定結果で、受信信号の受信レベルが、第１の基準値と第２の基準値の範囲外であるときには、受信レベルが第１の基準値より大きいか、第２の基準値より小さいかを判定する（Ｓ１）。受信信号の受信レベルが、第２の基準値より小さい場合は、電力レベルが小さい場合であり、ステップＳ２へ進む。また、ステップＳ１の判定結果で、受信信号の受信レベルが、第１の基準値より大きい場合は、電力レベルが大きい場合でありステップＳ５へ進む。この後の制御フローは図４で説明した内容と同一のため省略する。
【００４０】
図４示した実施例では、ステップＳ２で受信電力レベルが小さくさらに信号品質が劣悪と判定され送信電力を増加するように送信電力制御要求が生成された場合と、ステップＳ５で受信電力レベルが大きくさらに信号品質が良好と判定され送信電力を減少するように送信電力制御要求が生成された場合とが、時間的に交互に発生し、送信電力が安定するまでに時間がかかることが考えられるが、本実施例に示すように第１の判定回路１５における基準値に幅を持たせることで、送信側無線通信装置２０の送信電力が安定するまでの時間を短縮できる効果が得られる。
【００４１】
図５のステップＳ８における受信レベルの判断において、受信レベルが第１の基準値以上であるか、第１の基準値と第２の基準値の間であるか、第２の基準値以下であるかを判断することができる場合には、第１の基準値以上である場合にはステップＳ５に進み、第１の基準値と第２の基準値の間である場合には、ステップＳ９に進み、第２の基準値以下である場合にはステップＳ２に進むことにより、ステップＳ１の判断を省略することができる。
【００４２】
図６を用いて、本発明にかかる第３の実施例を説明する。図６において、図２と同一の機能を有する構成要素は同一の参照符号とし、説明を省略する。この実施例は、すでに説明した第１の実施例に加えて信号処理回路１４にＢＥＲ判定回路１４４を備えた点に特徴を有している。ＢＥＲ判定回路１４４では例えばＢＥＲに関する基準値があらかじめ設定されており、受信信号のＢＥＲを判定することによってさらに詳細に受信信号の状態を判定することが可能となる。
【００４３】
本実施例による制御の流れを、図７を用いて説明する。図７は、本実施例における処理例を示すフローチャート図である。図４と同一の機能を有する状態については同一の参照符号として説明を省略する。
【００４４】
本実施例においては、ステップＳ５において受信信号電力が大きいにもかかわらずＳＮ比が劣悪と判定された場合、ステップＳ１０に進む。ステップＳ１０ではＢＥＲ判定回路１４４によって受信信号を信号処理した結果のＢＥＲを判定し、あらかじめ設けられている基準値より劣悪な場合にのみ、妨害波を検知したと判断し、妨害波検知信号を生成し出力する（Ｓ７）。しかし、ステップＳ１０においてＢＥＲが基準値と比較して良好と判定された場合は正常な受信動作が行なわれているものとみなし、妨害波検知信号も、図示しない無線通信装置に対する送信電力制御要求も生成せずに処理を終了する（Ｓ１１）。この場合は、信号品質は劣悪ではあるもののＢＥＲに問題が無ければデータ入出力端子Ｔ１から出力されるデータ信号は正常であり、あえて余分な制御動作を行なうことを避ける効果がある。なお、受信信号品質は劣悪なため、これ以上受信電力が下がり、妨害波の影響が高じないように、受信電力は基準値より大きいが送信側無線通信装置２０に対して送信電力を下げるための送信電力制御要求（送信レベル減少）は送らない。
【００４５】
このように、本発明によれば、送信電力が過剰に大きくなることなく、受信機の受信特性を好適に維持することができるとともに、送信回路が消費する電力を適正に抑圧し消費電力の低減に寄与することができる。
【００４６】
以上説明した構成をとることにより、図２に示した実施例では実際には受信特性には問題ないにもかかわらず妨害波検知信号を生成してしまう可能性があるが、図６に示した実施例ではこの可能性を低減し、より安定な受信特性を期待できる。
【図面の簡単な説明】
【００４７】
【図１】本発明にかかる無線通信装置を用いた無線通信システムの構成の概要を説明すブロック図。
【図２】本発明の第１の実施例にかかる受信側無線通信装置の構成の概要を説明するブロック図。
【図３】本発明の第１の実施例にかかる送信側無線通信装置の構成の概要を説明するブロック図。
【図４】本発明の第１の実施例における処理例を示すフローチャート図。
【図５】本発明の第２の実施例における処理例を示すフローチャート図。
【図６】本発明第３の実施例にかかる受信側無線通信装置の構成の概要を説明するブロック図。
【図７】本発明の第３の実施例における処理例を示すフローチャート図。
【符号の説明】
【００４８】
１０  受信側無線通信装置
１１  アンテナ切替回路
１２  受信回路
１３  送信回路
１４  信号処理回路
１４１  第２の判定回路
１４２  品質評価回路
１４３  送信電力制御要求生成回路
１４４  ＢＥＲ判定回路
１５  第１の判定回路
１８  第１のアンテナ
１９  第２のアンテナ
２０  送信側無線通信装置
２１  アンテナ切替回路
２２  受信回路
２３  送信回路
２４  信号処理回路
２４１  送信回路制御信号生成回路
２８  第１のアンテナ
２９  第２のアンテナ
Ｔ１  データ入出力端子
【図１】
2005191762.tif 000003
【図２】
2005191762.tif 000004
【図３】
2005191762.tif 000005
【図４】
2005191762.tif 000006
【図５】
2005191762.tif 000007
【図６】
2005191762.tif 000008
【図７】
2005191762.tif 000009